(57)【要約】【課題】第１の表示装置から第２の表示装置に画像を簡単にコピーすることのできる装置および方法を提供する。【解決手段】画像１１６を表示するための第１の表示装置１０４と、第１の表示装置１０４上に表示された画像１１６を第２の表示装置１０８にコピーするアプリケーション・プログラム１１４と、を含むコンピュータシステム１００が提供される。選択可能なコントロール１１２が選択されると、そのコントロール１１２により、アプリケーション・プログラム１１４が、第１の表示装置１０４上に表示された画像１１６を第２の表示装置１０８にコピーする。【選択図】図１
2004133936.tif 000002
【特許請求の範囲】
【請求項１】
　画像を表示するように構成された第１の表示装置と、
　前記第１の表示装置上に表示された前記画像を、第２の表示装置にコピーするように構成されたアプリケーション・プログラムと、
　前記アプリケーション・プログラムが、前記第１の表示装置上に表示された前記画像を、前記第２の表示装置にコピーするのを開始させるように構成された選択可能なコントロールと、
を備えているコンピュータシステム。
【請求項２】
　ハウジング基部と、
　前記ハウジング基部に接続され、少なくとも第１の面と第２の面を有するハウジング上部と、
をさらに備え、
　前記第１の表示装置は、前記ハウジング上部の前記第１の面に組み入れられ、
　前記第２の表示装置は、前記ハウジング上部を前記ハウジング基部の上に位置づけたときに前記第２の表示装置が見えるように、前記ハウジング上部の前記第２の面に組み入れられる、請求項１に記載のコンピュータシステム。
【請求項３】
　前記第２の表示装置が、電源の印加が無くても画像表示を保持するよう構成された不揮発性ディスプレイである、請求項２に記載のコンピュータシステム。
【請求項４】
　１つまたは複数の画像を表示するように構成された表示装置と、
　前記１つまたは複数の画像をどれでも表示するように構成され、さらに、電源の印加が無くても前記１つまたは複数の画像の表示を保持するように構成された不揮発性表示装置と、
　前記表示装置上に表示された画像を、前記不揮発性表示装置上に複写することを開始するように構成された選択可能なコントロールと、
を備えている携帯型コンピューティング装置。
【請求項５】
　ハウジング基部と、
　前記ハウジング基部に接続され、少なくとも第１の面と第２の面とを有するハウジング上部と、
をさらに備え、
　前記表示装置は、前記ハウジング上部の前記第１の面に組み入れられ、
　前記不揮発性表示装置は、前記ハウジング上部を前記ハウジング基部の上に位置づけたときに前記不揮発性表示装置が見えるように、前記ハウジング上部の前記第２の面に組み入れられる、請求項４に記載の携帯型コンピューティング装置。
【請求項６】
　第２の画像に対応する画像データを保持するように構成されたメモリ構成要素と、
　前記第２の画像の表示が前記不揮発性表示装置上に生成されるのを開始するように構成された第２の選択可能なコントロールと、
をさらに備え、
　前記第２の選択可能なコントロールが、前記ハウジング上部を前記ハウジング基部の上に位置づけたときにアクセス可能である、請求項５に記載の携帯型コンピューティング装置。
【請求項７】
　選択可能なコントロール入力を受信して、第２の表示装置への画像コピーを開始させるステップと、
　第１の表示装置上に表示された前記画像に対応する画像データをコピーするステップと、
　前記画像を前記第２の表示装置上に表示するステップと、
を含む方法。
【請求項８】
　前記表示するステップが、前記画像の表示を電源の印加が無くても前記第２の表示装置上に保持するステップを含む、請求項７に記載の方法。
【請求項９】
　前記コピーするステップが、前記第２の表示装置上に表示するために、前記画像データが前記第１の表示装置に伝達される際に該画像データを収集するステップを含む、請求項７に記載の方法。
【請求項１０】
　第２の選択可能なコントロール入力を受信して、第２の画像を前記第２の表示装置上に表示するステップであって、前記第２の画像に対応する画像データはメモリ構成要素に保持されている、ステップと、
　前記第２の画像の表示を前記第２の表示装置上に生成するために電源を印加するステップと、
　前記第２の画像表示が、電源の印加が無くても前記第２の表示装置上に保持されるように、電源を除去するステップと、
をさらに含む、請求項７に記載の方法。
【発明の詳細な説明】
【技術分野】
【０００１】
　本発明は、情報の表示、特に、第２のディスプレイへの画像コピーに関する。
【背景技術】
【０００２】
　２つのモニタに接続されたデスクトップ・パーソナルコンピュータ、あるいは、第２のモニタに接続された、一体型ＬＣＤディスプレイを持つラップトップ・コンピュータのように、コンピュータが、２つの表示装置に接続されることもある。さらに、第１のディスプレイの他方の面に第２のディスプレイを持つラップトップ・コンピュータは、第２のディスプレイが、この装置のユーザには、すぐに見えないために、従来のやり方では使用し難い。コンピュータを２つの表示装置に接続するには、通常、コンピュータ内に、２つのディスプレイ・ドライバが必要となる。
【発明の開示】
【発明が解決しようとする課題】
【０００３】
　コンピュータに接続された各ディスプレイは、一方のディスプレイ上に、テキスト・エディタなどの異なるアプリケーション、また他方のディスプレイ上にＷｅｂページを表示するように、構成されることがある。しかしながら、ただ１台のコンピュータで駆動される２つの異なるディスプレイをセットアップする方法は、ユーザには直観的に理解できない。従来のやり方では、ユーザは、表示アイコンを、第１のディスプレイから第２のディスプレイの方向にドラッグするか、あるいは、第２の装置として、第２のディスプレイを利用することもある。さらに、コンピュータをシャットダウンすると、２つのディスプレイ上に表示された情報は、再びコンピュータのスイッチを入れて、これらのディスプレイが設定されるまで、ユーザによる参照には利用できない。
【課題を解決するための手段】
【０００４】
　一実施例では、コンピュータシステムは、画像を表示する第１の表示装置を含み、また、第１の表示装置上に表示された画像を第２の表示装置にコピーするアプリケーション・プログラムを含む。選択可能なコントロールを選択すると、そのコントロールにより、アプリケーション・プログラムが、第１の表示装置上に表示された画像を第２の表示装置にコピーする。
【０００５】
　一実施例では、携帯型コンピューティング装置は、表示装置と不揮発性表示装置を含む。選択可能なコントロールを選択すると、そのコントロールにより、アプリケーション・プログラムが、表示装置上に表示された画像を不揮発性表示装置にコピーし、それにより、画像の表示が電源の印加が無くても保持される。
【発明を実施するための最良の形態】
【０００６】
　一実施例では、第２のディスプレイへの画像コピーは、画像を表示する第１の表示装置と、この第１の表示装置上に表示された画像を第２の表示装置にコピーするアプリケーション・プログラムとを含むコンピュータシステムとして述べられている。選択可能なコントロールを選択すると、そのコントロールにより、アプリケーション・プログラムが、第１の表示装置上に表示された画像を第２の表示装置にコピーする。
【０００７】
　第２のディスプレイへの画像コピーの他の実施例では、携帯型コンピューティング装置は、このコンピューティング装置用のハウジング蓋（housing lid）の第１の面に組み入れられたＬＣＤなどのディスプレイを含む。このハウジング蓋は、ハウジング蓋の第２の面に組み入れられた不揮発性ディスプレイも含む。不揮発性ディスプレイは、ハウジング蓋を、ハウジング基部（housing base）に折り重ねるときのように、ハウジング蓋を、このコンピューティング装置のハウジング基部の上に位置づけるときに、見ることができる。携帯型コンピューティング装置はまた、押しボタンまたは設定可能なキーボード入力などの選択可能なコントロールも含む。このようなコントロールを選択すると、そのコントロールにより、アプリケーション・プログラムが起動して、このディスプレイ上に表示された画像を不揮発性ディスプレイにコピーし、それにより、画像の表示がこの不揮発性ディスプレイへの電源の印加が無くても保持される。
【０００８】
　不揮発性ディスプレイを持つ携帯型コンピューティング装置は、コンピュータをシャットダウンして、折畳んで持ち運ぶときでも、日々のスケジュール、写真、電話帳、地図、コンピューティング装置および／またはコンピューティング装置のユーザに関連する識別情報、あるいは、文章と写真画像の他の任意の組合せなどの画像を保持して、見ることができるようにしている。このように見ることのできる不揮発性ディスプレイは、任意の旅行者、ビジネスマン、自動車の運転手などが、即座に情報を参照するものである。さらに、不揮発性ディスプレイ上に表示される情報は、必要に応じて、個人ごとに、文章と写真画像の任意の組合せとしてカスタマイズできる。携帯型コンピューティング装置のユーザは、第１の表示装置上で参照情報を選択してカスタマイズし、画像コピーのアプリケーションを起動し、しかも、携帯型コンピューティング装置をシャットダウンした後でも、その選択された情報を、不揮発性ディスプレイ上で見られるようにすることができる。
【０００９】
（模範的な画像コピー・システム）
　図１は、第２のディスプレイへの画像コピーを実施できる模範的な画像コピー・システムの様々な構成要素を示す。画像コピー・システム１００は、画像データ転送リンク１０６を通じて第１の表示装置１０４に、また画像データ転送リンク１１０を通じて第２の表示装置１０８に接続されたコンピューティング装置１０２を含む。一実施例では、コンピューティング装置１０２は、ＬＣＤなどの一体型ディスプレイと第２の一体型ディスプレイを持つか、あるいは独立した第２のディスプレイに接続された携帯型コンピュータであることもある。
【００１０】
　コンピューティング装置１０２は、選択可能なコントロール１１２を含む。この装置のユーザが、この選択可能なコントロールを選択すると、そのコントロールにより、アプリケーション・プログラム１１４が、第１の表示装置１０４上に表示された画像１１６を第２の表示装置１０８にコピーする。画像１１６のコピーは、第２の表示装置１０８上の画像１１８として識別される。選択可能なコントロール１１２は、コンピューティング装置１０２上の押しボタンとして、設定されるキーボード入力として、第１の表示装置１０４上に表示された選択可能なインターフェース・コントロール１２０として、あるいは、他の任意のタイプの選択可能なコントロールとして、実現できる。
【００１１】
　画像１１６をコピーするアプリケーション・プログラム１１４に代る別法として、第２の表示装置１０８は、コンピューティング装置１０２内のディスプレイ・コントローラ（図示されてない）から伝達される表示信号を収集するように働くことができる。このディスプレイ・コントローラは、第１の表示装置１０４に対しても第２の表示装置１０８に対しても表示データを生成するのに利用される。このことから、これらの表示装置の双方に対する電気信号フォーマットが同一である場合には、双方の表示装置に対して、ただ１つのディスプレイ・コントローラを用いて、第２のディスプレイへの画像コピーを実施する安価で、かつ簡単な方法が提供される。
【００１２】
（模範的なコンピューティング装置）
　図２は、第２のディスプレイへの画像コピーを実施するのに利用できる模範的なコンピューティング装置２００の様々な構成要素を示している。コンピューティング装置２００は、コンピューティング装置２００の操作を制御し、また他の電子装置やコンピューティング装置とやり取りするために、様々の命令を処理する１つまたは複数のプロセッサ２０２（例えば、マイクロプロセッサ）を含む。
【００１３】
　コンピューティング装置２００は、１つまたは複数のメモリ構成要素を用いて実施できる。これらのメモリ構成要素の例として、ランダム・アクセス・メモリ（ＲＡＭ）２０４、内部または外部の記憶媒体２０６、ディスク・ドライブ２０８、フレキシブル・ディスク・ドライブ２１０、リムーバブル・ディスク・ドライブ２１２（例えば、任意のＣＤフォーマットおよび／またはＤＶＤフォーマットの媒体規格の１つ）、および、不揮発性メモリ２１４（例えば、ＲＯＭ、Ｆｌａｓｈ（フラッシュ）、ＥＰＲＯＭ、ＥＥＰＲＯＭなど）があり、それらはすべて、コンピューティング装置２００に対してデータ記憶機構を提供するものである。
【００１４】
　オペーレーティング・システム２１６、ＢＩＯＳ２１８、および、１つまたは複数のアプリケーション・プログラム２２０を、不揮発性メモリ２１４に格納して、プロセッサ２０２上で実行すれば、ランタイム環境を提供できる。ランタイム環境は、１つまたは複数のアプリケーション・プログラム２２０をコンピューティング装置２００と対話させるインターフェースを定めることで、コンピューティング装置２００を容易に拡張できる。コンピューティング装置２００で実施できるアプリケーション・プログラム２２０の例として、Ｗｅｂブラウザ（例えば、「Ｗｏｒｌｄ　Ｗｉｄｅ　Ｗｅｂ」）、電子メールを容易にする電子メール・プログラムなどがある。
【００１５】
　さらに、表示画像コピー・アプリケーション２２２は、不揮発性メモリ２１４に格納でき、また、ＢＩＯＳ２１８のソフトウェア・コンポーネントとして、あるいは、プロセッサ２０２上で実行されるアプリケーション・プログラム２２０の１つとして、実現できる。表示画像コピー・アプリケーション２２２は、第２のディスプレイへの画像コピーを実施する。表示画像コピー・アプリケーション２２２は、第２のディスプレイへの画像コピーのいくつかの機能を果たすように構成されたただ１つのアプリケーションとして図示され、述べられているが、表示画像コピー・アプリケーション２２２は、コンピューティング装置２００内の１つまたは複数の機能をそれぞれが果たすように配布された幾つかのコンポーネント・アプリケーションとして実現できる。
【００１６】
　コンピューティング装置２００は、１つまたは複数の通信インターフェース２２４とモデム２２６をさらに含み、これらの通信インターフェースとモデムはそれぞれ、他の電子装置やコンピューティング装置とやり取りするコンピューティング装置２００用の機構を提供する。通信インターフェース２２４は、シリアルおよび／またはパラレルのインターフェース、ＵＳＢインターフェース、無線インターフェースとして、多数のネットワーク・インターフェースの任意の１つとして、および／または、他の任意のタイプの通信インターフェースとして、実現できる。無線インターフェースにより、コンピューティング装置２００は、入力コマンドを受け取って、赤外線（ＩＲ）、８０２．１１、Ｂｌｕｅｔｏｏｔｈ（ブルートゥース）、またはそれらに類するＲＦ通信リンクを通じて、情報を伝達することができる。ネットワーク・インターフェースは、共通データ通信ネットワークに結合された装置に、情報をコンピューティング装置２００とやり取りさせる。同様に、シリアルおよび／またはパラレルのインターフェースは、コンピューティング装置２００と、他の電子装置またはコンピューティング装置との間に、直接にデータ通信路を提供する。
【００１７】
　コンピューティング装置２００は、一体型および／または外部のユーザ入力装置２２８を持っている。このユーザ入力装置は、コンピューティング装置２００と対話するために、またコンピューティング装置２００に情報を入力するために、キーボード、マウス、ポインティング装置、および／または、他の入力装置を含むことがある。コンピューティング装置２００はまた、携帯情報端末（ＰＤＡ）、ハンドヘルド・コンピュータ、無線電話などのような他のハンドヘルド入力装置とやり取りし、かつ／または、そのような他のハンドヘルド入力装置から入力情報を受け取ることもある。
【００１８】
　コンピューティング装置２００は、携帯型またはラップトップ型のコンピュータ用、携帯情報端末（ＰＤＡ）用、またはそれらに類するモバイル・コンピューティング装置用の一体型ＬＣＤなどの表示装置２３０を含むこともある。コンピューティング装置２００はまた、第２の一体型表示装置２３２を含み、かつ／または、外部表示装置２３４に接続されることもある。
【００１９】
　システムバスは、図示されてはいないが、通常、コンピューティング装置２００内の様々な構成要素を接続する。システムバスは、メモリ・バスまたはメモリ・コントローラ、周辺バス、ＡＧＰ（ａｃｃｅｌｅｒａｔｅｄ　ｇｒａｐｈｉｃｓ　ｐｏｒｔ）、または、様々なバス・アーキテクチャをどれでも使えるローカルバスを含め、いくつかのタイプのバス構造の任意の１つまたは複数として実施できる。
【００２０】
　全体として、本明細書中のコンピューティング装置２００を参照する。また、特定の例が、特定の機能を持つ携帯型その他のモバイル・コンピューティング装置をさすとはいえ、このような例は、特許請求の範囲または記述の範囲を制限するつもりはなく、記述された実施例を具体的に理解させるつもりである。さらに、コンピューティング装置２００の記述された構成要素と、携帯型のコンピューティング装置は、単に模範的なものにすぎず、これらの構成要素しか含まない装置に対して、クレーム記載の主題を適用することを制限するつもりはない。よって、本明細書に記述されるものに加え、かつ／または、本明細書に記述されるものとは別の構成要素を持つ他の装置は、記述された技法およびシステムを実施するときに利用できる。
【００２１】
（模範的な携帯型コンピューティング装置）
　図３は、模範的なコンピューティング装置２００（図２）の構成要素の１つまたは複数を含むこともある携帯型コンピューティング装置３００の一例を示している。携帯型コンピューティング装置３００は、ハウジング上部３０４をハウジング基部３０２の上に折り重ねることができるように、ヒンジまたは他のたわみ継手（図示されてない）を通じて互いに結合されたハウジング基部３０２とハウジング上部３０４を持っている。キーボード・アセンブリ３０６は、ハウジング基部３０２に搭載され、またフラット・パネル・ディスプレイ３０８は、ハウジング上部３０４に搭載されている。
【００２２】
　選択可能なコントロール３１０は、ハウジング基部３０２中の押しボタンとして図示されている。携帯型コンピューティング装置３００のユーザが選択または他の方法で、この押しボタンを押すと、表示画像コピー・アプリケーション２２２（図２）を起動して、フラット・パネル・ディスプレイ３０８上に表示された画像を、ハウジング上部に組み入れられた第２の表示装置にコピーする（図４に示される）。上で説明されるように、表示画像コピー・アプリケーション２２２を起動する選択可能なコントロールはまた、キーボード・アセンブリ３０６中のキーの任意の１つまたは組合せを用いて設定されるキーボード入力として、あるいは、フラット・パネル・ディスプレイ３０８上に表示される選択可能なインターフェース・コントロールとして、実施できる。
【００２３】
　図４は、ハウジング上部３０４に組み入れられた第２の表示装置４０２を示すために、ハウジング上部３０４をハウジング基部３０２の上に位置づけた携帯型コンピューティング装置３００をさらに示している。第２の表示装置４０２は、ハウジング上部３０４をハウジング基部３０２の上に折り重ねると、見ることができる。
【００２４】
　第２の表示装置４０２は、表示装置への電源の印加が無くても画像表示を保持する不揮発性ディスプレイとして実現できる。不揮発性ディスプレイ４０２の例は、Ｅ・Ｉｎｋ社から入手できるものであって、米国特許第６，１２４，８５１号にＪａｃｏｂｓｏｎ氏により、また米国特許第６，０１７，５８４号にＡｌｂｅｒｔ氏らにより、記述されている。Ｊａｃｏｂｓｏｎ氏は、アドレス・ラインと、電子的にアドレス指定可能なコントラスト媒体を含むページ・ディスプレイを述べている。このコントラスト媒体は、ページ・ディスプレイに書き込まれた文章または画像を、電源の印加無しに保持できるように、双安定媒体（bistable media）であることもある。
【００２５】
　携帯型コンピューティング装置３００はまた、ハウジング上部３０４をハウジング基部３０２の上に位置づけるときにアクセス可能な第２の選択可能なコントロール４０４も含む。コンピューティング装置３００のユーザが、選択可能なコントロール４０４を選択すると、このコントロールは、表示画像コピー・アプリケーション２２２（図２）を起動して、第２の画像の表示を表示装置４０２上に生成させる。この第２の画像用の画像データは、模範的なコンピューティング装置２００（図２）内のメモリ構成要素の１つまたは複数によって保持できる。また、画像データは、検索して表示できる。
【００２６】
（画像コピーの方法）
　第２のディスプレイへの画像のコピー方法は、メモリ記憶装置を含むコンピュータ記憶媒体の中にあるコンピュータ実行可能な命令に広く関連して、記述され得る。一般に、コンピュータ実行可能な命令は、特定の機能を果たすか、または特定の抽象データ型を実施するルーチン、プログラム、オブジェクト、コンポーネント、データ構造などを含む。
【００２７】
　図５は、第２のディスプレイへの画像のコピー方法５００を示している。この方法を記述する順序は、限定するものと解されるつもりはなく、この方法を実施する任意の順序で、これらの記述された方法ブロックをいくつでも組み合わせることができる。さらに、この方法は、任意の適切なハードウェア、ソフトウェア、ファームウェア、または、それらの組合せで実施できる。
【００２８】
　ブロック５０２において、選択可能なコントロール入力が受信され、第２の表示装置への画像コピーが開始される。例えば、コンピューティング装置１０２（図１）のユーザは、押しボタンの選択可能なコントロール１１２を起動して、アプリケーション・プログラム１１４に、表示装置１０４上に表示された画像１１６を、画像１１８として図示されている表示装置１０８にコピーさせる。選択可能なコントロール１１２は、表示装置１０４上に表示される選択可能なインターフェース・コントロール１２０として、携帯型コンピュータ３００（図３）のハウジング基部中の押しボタンの選択可能なコントロール３１０として、あるいは、キーボード・アセンブリ３０６中のキーの任意の１つまたは組合せを用いて設定されるキーボード入力として、具現できる。
【００２９】
　ブロック５０４において、第１の表示装置上に表示された画像に対応する画像データをコピーする。例えば、表示画像コピー・アプリケーション２２２（図２）は、第１の表示装置１０４上に表示された画像１１６に対応する画像データの各ビットをコピーまたは他の方法で、読み取る。別法として、第２のディスプレイの電気信号フォーマットが、第１の表示装置と同一である場合には、「コピー」操作は、第１のディスプレイと第２のディスプレイが両方とも利用するただ１つのディスプレイ・コントローラから伝達される表示信号（例えば、画像データ）を第２のディスプレイが収集できるようにすることで、実施されることがある。これは、第２のディスプレイへの画像コピーを実施する安価で、かつ簡単な方法を提供する。
【００３０】
　ブロック５０６において、このコピーされた画像を、第２の表示装置上に表示する。例えば、表示画像コピー・アプリケーションは、この画像データの各ビットを第２の表示装置１０８に書き込んで、画像１１８を表示する。この画像データを第２の表示装置上に表示することは、電源の印加無しに画像表示を保持することを含む。例えば、不揮発性ディスプレイ４０２（図４）は、電源の印加無しに（すなわち、電源を除去、さもなければオフにした後に）、この表示された画像を保持する。
【００３１】
　ブロック５０８において、選択可能なコントロール入力が受信され、第１の表示装置上に表示された画像に対応する画像データの、メモリ構成要素へのコピーが開始される。例えば、コンピューティング装置２００（図２）内の表示画像コピー・アプリケーション２２２は、第１の表示装置１０４（図１）上に表示された画像１１６に対応する画像データの各ビットを、コンピューティング装置２００内のメモリ構成要素の任意の１つにコピーするように実施できる。ブロック５１０において、この画像データを、コピーまたは他の方法でメモリ構成要素に格納する。
【００３２】
　ブロック５１２において、選択可能なコントロール入力が受信され、画像が第２の表示装置上に表示され、しかも、メモリ構成要素を用いて、この画像に対応する画像データが保持される。例えば、コンピューティング装置３００（図４）のユーザは、選択可能なコントロール４０４を起動して、表示画像コピー・アプリケーション２２２に、コンピューティング装置内のメモリ構成要素から画像データを読み取らせて、その画像データに対応する画像を、不揮発性ディスプレイ４０２上に表示させる。
【００３３】
　ブロック５１４において、画像表示を第２の表示装置上に生成するために、電源が印加される。例えば、図４に示されるように、ハウジング上部をハウジング基部の上に折り重ねて、コンピューティング装置３００をシャットオフすることができる一方で、不揮発性ディスプレイ４０２は、電源の印加無しに、この表示された画像を保持する。選択可能なコントロール入力を受信して、次の画像を表示するときには、コンピューティング装置３００に電源が印加されて、メモリ構成要素から画像データを検索し、かつ、この画像の表示を生成することを容易ならしめる。ブロック５１６において、この画像を、不揮発性ディスプレイ上に表示する。ブロック５１８において、電源が除去され、この画像の表示が、電源の印加無しに、不揮発性の第２の表示装置上に保持される。
【００３４】
（結論）
　本発明は、構造上の特徴および／または方法に特有の言葉で述べられてきたが、併記の特許請求の範囲で定義される本発明は、述べられる特定の特徴または方法に必ずしも限定されるとは限らないものとする。もっと適切に言えば、特定の特徴および方法は、この特許請求の範囲に記載の本発明を実施する好ましい形態として開示されている。
【図面の簡単な説明】
【００３５】
【図１】模範的な画像コピー・システムの様々な構成要素を示す図である。
【図２】模範的なコンピューティング装置の様々な構成要素を示すブロック図である。
【図３】第２のディスプレイへの画像コピーの実施のために構成された模範的な携帯型コンピューティング装置を示す図である。
【図４】図３に示される模範的な携帯型コンピューティング装置をさらに示す図である。
【図５】第２のディスプレイへの画像コピーの方法を示す流れ図である。
【符号の説明】
【００３６】
１００：コンピュータシステム
１０４：第１の表示装置
１０８：第２の表示装置
１１２：選択可能なコントロール
１１４：アプリケーション・プログラム
【図１】
2004133936.tif 000003
【図２】
2004133936.tif 000004
【図３】
2004133936.tif 000005
【図４】
2004133936.tif 000006
【図５】
2004133936.tif 000007